(57)【特許請求の範囲】
【請求項１】
厚紙を折り曲げ線にて折り曲げることにより相対向する二つの商品支持片を形成し、各商品支持片には該折り曲げ線の近傍における相対向する位置に各商品支持片を貫通する係止用透孔を形成してなる商品展示用の紙ヘッダーにおいて、
該紙ヘッダーの内側には合成樹脂製の補強板を取り付け、該補強板は紙ヘッダーの折り曲げ線に対応するヒンジ線にて折り曲げ自在に連続する相対向する二つの補強片を備え、各補強片には紙ヘッダーの商品支持片における係止用透孔に対応する対応透孔を形成すると共に該補強片を紙ヘッダーの係止用透孔に固定する固定手段を備えさせ、該補強板は該補強板のヒンジ線を紙ヘッダーの折り曲げ線に合わせると共に各補強片の対応透孔を各商品支持片の係止用透孔に合わせた状態で紙ヘッダーの内側に固定するようになし、
前記固定手段は前記補強片に略Ｌ字状突起を形成し、該補強片と略Ｌ字状突起との間に該補強片に対応する商品支持片における係止用透孔の縁部を挿入することにより該補強片を該係止用透孔に固定するようにしてなることを特徴とする商品展示用の紙ヘッダー。
【発明の詳細な説明】
【０００１】
【発明の属する技術分野】
本発明は商品展示用の紙ヘッダーに関するものであり、更に詳しくは、店頭等において比較的軽量の商品を吊下げ展示するために該商品の上部に取り付けられる紙ヘッダーに係るものである。
【０００２】
【従来の技術】
例えば図４に示すように、このような商品展示用の紙ヘッダー１としては、厚紙２を折り曲げ線３にて折り曲げることにより相対向する二つの商品支持片５を形成し、各商品支持片５には該折り曲げ線３の近傍における相対向する位置に各商品支持片５を貫通する係止用透孔７を形成してなるものが既に知られている。この従来の紙ヘッダーは、相対向する二つの商品支持片5間に商品を挟持させた状態で係止用透孔７にフック等の係止突起を挿入することにより商品を吊下げ展示するようにしたものである。
【０００３】
【発明が解決しようとする課題】
しかるに、上記従来の商品展示用の紙ヘッダーにおいては、商品の荷重がフック等の係止突起を介して各商品支持片５における係止用透孔７の縁部に直接かかるため、該係止用透孔７の縁部ないし係止用透孔７と折り曲げ線３との間の支承部９が切れるおそれがある。支承部９が切れたときには商品が落下することになる。
本発明は上記従来の商品展示用の紙ヘッダーにおけるこのような問題を解決しようとしてなされたものである。
【０００４】
【課題を解決するための手段】
上記課題を解決するために、本発明は下記の商品展示用の紙ヘッダーを提供するものである。
【０００５】
厚紙を折り曲げ線にて折り曲げることにより相対向する二つの商品支持片を形成し、各商品支持片には該折り曲げ線の近傍における相対向する位置に各商品支持片を貫通する係止用透孔を形成してなる商品展示用の紙ヘッダーにおいて、
該紙ヘッダーの内側には合成樹脂製の補強板を取り付け、該補強板は紙ヘッダーの折り曲げ線に対応するヒンジ線にて折り曲げ自在に連続する相対向する二つの補強片を備え、各補強片には紙ヘッダーの商品支持片における係止用透孔に対応する対応透孔を形成すると共に該補強片を紙ヘッダーの係止用透孔に固定する固定手段を備えさせ、該補強板は該補強板のヒンジ線を紙ヘッダーの折り曲げ線に合わせると共に各補強片の対応透孔を各商品支持片の係止用透孔に合わせた状態で紙ヘッダーの内側に固定するようになし、
前記固定手段は前記補強片に略Ｌ字状突起を形成し、該補強片と略Ｌ字状突起との間に該補強片に対応する商品支持片における係止用透孔の縁部を挿入することにより該補強片を該係止用透孔に固定するようにしてなることを特徴とする商品展示用の紙ヘッダー。
【０００６】
【作用】
本発明の商品展示用の紙ヘッダーを使用する際には、相対向する二つの商品支持片間に商品を挟持させた状態で紙ヘッダーの係止用透孔と補強板の対応透孔とにフック等の係止突起を挿入することにより商品を吊下げ展示する。
【０００７】
補強板は各補強片の対応透孔を各商品支持片の係止用透孔に合わせた状態で紙ヘッダーの内側に固定される。従って、紙ヘッダーの係止用透孔と補強板の対応透孔とに挿入されたフック等の係止突起は合成樹脂製の補強板における各補強片の対応透孔に接触し、商品の荷重は主として各補強片の対応透孔の縁部にかかることになる。しかして、補強板は該補強板のヒンジ線を紙ヘッダーの折り曲げ線に合わせた状態で紙ヘッダーの内側に固定されているため、各補強片の対応透孔の縁部にかかった商品の荷重は補強板の全面を介して紙ヘッダーに伝えられる。その結果、紙ヘッダーにおける係止用透孔の縁部或いは該係止用透孔と折り曲げ線との間の支承部が切れるおそれは防止される。
【０００８】
補強板は紙ヘッダーの折り曲げ線に対応するヒンジ線にて折り曲げ自在であるから、紙ヘッダーに対する取り付けが容易である。また、紙ヘッダーにより商品を吊下げたときには、補強板は商品の荷重により紙ヘッダーに追随してヒンジ線にて折れ曲がるため、補強板が紙ヘッダーに無理な力を及ぼして紙ヘッダーを損傷することもない。
【０００９】
本発明の商品展示用の紙ヘッダーにおいては、補強片と略Ｌ字状突起との間に該補強片に対応する商品支持片における係止用透孔の縁部を挿入することにより該補強片は該係止用透孔に確実に固定される。このようにして補強板における二つの補強片をそれぞれ紙ヘッダーにおける係止用透孔に固定することにより、補強板は紙ヘッダーに固定される。
【００１０】
【発明の実施の形態】
次に、本発明の実施の形態を添付図面に従って説明する。
本発明における商品展示用の紙ヘッダー１は、上記従来のものと同様に、厚紙２を折り曲げ線３にて折り曲げることにより相対向する二つの商品支持片５を形成し、各商品支持片５には該折り曲げ線３の近傍における相対向する位置に各商品支持片５を貫通する係止用透孔７を形成してなるものである。
【００１１】
この紙ヘッダー１の内側には合成樹脂製の補強板１１を取り付ける。補強板１１は一例としてポリプロピレンにより一体的に形成される。補強板１１は紙ヘッダー１の折り曲げ線３に対応するヒンジ線１３にて折り曲げ自在に連続する相対向する二つの補強片１５を備えている。
【００１２】
各補強片１５には紙ヘッダー１の商品支持片５における係止用透孔７に対応する対応透孔１７を形成すると共に該補強片１５を紙ヘッダー１の係止用透孔７に固定する固定手段１９を備えさせる。
【００１３】
補強板１１は該補強板１１のヒンジ線１３を紙ヘッダー１の折り曲げ線３に合わせると共に各補強片１５の対応透孔１７を各商品支持片５の係止用透孔７に合わせた状態で紙ヘッダー１の内側に固定される。
【００１４】
図示の事例における固定手段１９は、補強片１５に略Ｌ字状突起２１を形成し、該補強片１５と略Ｌ字状突起２１との間に該補強片１５に対応する商品支持片５における係止用透孔７の縁部を挿入することにより該補強片１５を該係止用透孔７に固定するようにしてなるものである。
【００１５】
図１においては、紙ヘッダー１における相対向する二つの商品支持片５間に商品２３を挟持させた状態で紙ヘッダー１の係止用透孔７と補強板１１の対応透孔１７とにフック等の係止突起２５を挿入することにより商品２３を吊下げ展示している。紙ヘッダー１における相対向する二つの商品支持片５間に商品２３を挟持させる際には、商品支持片５を一例としてステープラーにより商品２３の上部に固定する。符号２７に示すものは係止突起２５の支持体である。
【００１６】
【発明の効果】
紙ヘッダーの内側に補強板を固定したため、上述の如く、紙ヘッダーにおける係止用透孔の縁部或いは該係止用透孔と折り曲げ線との間の支承部が切れるおそれは防止される。
【００１７】
補強板は紙ヘッダーの折り曲げ線に対応するヒンジ線にて折り曲げ自在であるから、紙ヘッダーに対する取り付けが容易である。また、紙ヘッダーにより商品を吊下げたときには、補強板は商品の荷重により紙ヘッダーに追随してヒンジ線にて折れ曲がるため、補強板が紙ヘッダーに無理な力を及ぼして紙ヘッダーを損傷することもない。
【００１８】
補強板は合成樹脂により形成したものであり、極めて安価に提供することができる。
【００１９】
補強板は固定手段により紙ヘッダーに容易且つ確実に固定される。
【図面の簡単な説明】
【図１】本発明による紙ヘッダーの使用状態を示す断面図である。
【図２】補強板を示す斜視図である。
【図３】補強板を示す断面図である。
【図４】紙ヘッダーを示す斜視図である。
【符号の説明】
１  商品展示用の紙ヘッダー
２  厚紙
３  折り曲げ線
５  商品支持片
７  係止用透孔
９  支承部
１１  補強板
１３  ヒンジ線
１５  補強片
１７  対応透孔
１９  固定手段
２１  略Ｌ字状突起
２３  商品
２５  係止突起
２７  支持体
【図１】
0004402770.tif 000002
【図２】
0004402770.tif 000003
【図３】
0004402770.tif 000004
【図４】
0004402770.tif 000005